(57)【要約】【課題】掲示物の表面部を覆う表面部材の可視領域と不可視領域の形状を工夫することで、ジャパニーズテイストの掲示を成し得る額縁を提供することを目的とする。【解決手段】本発明による額縁１００は掲示物Ａを掲示する額縁１００であって、前記掲示物Ａの外縁部ａ１を覆う外枠部材１１０と、前記掲示物Ａの表面部ａ２を覆う表面部材１２０とを備え、前記表面部材１２０は、前記掲示物Ａの前記表面部ａ２を視認可能な可視領域１３０と、前記掲示物Ａの前記表面部ａ２を視認不可能な不可視領域１４０とを有し、前記不可視領域１４０は、前記掲示物Ａの前記表面部ａ２を複数の多角形領域に区切るように、前記掲示物Ａの前記表面部ａ２を覆っている、額縁。【選択図】図１
2013052117.tif 000002
【特許請求の範囲】
【請求項１】
掲示物を掲示する額縁であって、
前記掲示物の外縁部を覆う外枠部材と、
前記掲示物の表面部を覆う表面部材と
を備え、
前記表面部材は、前記掲示物の前記表面部を視認可能な可視領域と、前記掲示物の前記表面部を視認不可能な不可視領域とを有し、
前記不可視領域は、前記掲示物の前記表面部を複数の多角形領域に区切るように、前記掲示物の前記表面部を覆っている、額縁。
【請求項２】
前記外枠部材と前記表面部材とは一体的に成形されている、請求項１に記載の額縁。
【請求項３】
前記外枠部材と前記表面部材とは分離して成形されている、請求項１に記載の額縁。
【請求項４】
前記表面部材の前記可視領域は開口穴である、請求項１〜請求項３のうちの一項に記載の額縁。
【請求項５】
前記表面部材の前記可視領域は透明フィルムである、請求項１〜請求項３のうちの一項に記載の額縁。
【請求項６】
前記掲示物は複数の辺を有する多角形であり、
前記外枠部材は複数の辺を有する多角形であり、
前記外枠部材は前記掲示物の外辺全体に沿って前記掲示物の外縁部を覆う、請求項１〜請求項５のうちの一項に記載の額縁。
【請求項７】
前記表面部材は一体的に成形されている、請求項１〜請求項６のうちの一項に記載の額縁。
【請求項８】
前記表面部材の前記不可視領域は前記掲示物の前記表面部を格子状に区切る、請求項１〜請求項７のうちの一項に記載の額縁。
【請求項９】
前記外枠部材と前記不可視領域との少なくとも一部には、柄が施されている、請求項１〜請求項８のうちの一項に記載の額縁。
【発明の詳細な説明】
【技術分野】
【０００１】
本発明は、掲示物を掲示する額縁に関する。
【背景技術】
【０００２】
特許文献１には、複数の窓部を設け、複数の窓部の各々から異なる掲示物を掲示する額縁が開示されている。特許文献１に記載の額縁を用いれば、複数の掲示物を一つの額縁にまとめて額装することができ、さらに様々な掲示物を自由に額装できるので、額装の楽しみが増し、額装の幅が広がる。
【先行技術文献】
【特許文献】
【０００３】
【特許文献１】実用新案登録第３０９７３６５号公報
【発明の概要】
【発明が解決しようとする課題】
【０００４】
しかしながら、特許文献１に記載の額縁では、複数の窓部が設けられているものの、複数の窓部の形状は種々の掲示物を掲示するためのキャラクタなどの形状のため、シンプルなジャパニーズテイストの掲示には不向きである。
【０００５】
本発明は、掲示物の表面部を覆う表面部材の可視領域と不可視領域の形状、さらに外枠部材と表面部材との構造を工夫することで、ジャパニーズテイストの掲示を成し得る額縁を提供することを目的とする。
【課題を解決するための手段】
【０００６】
上記課題を解決するために、本発明による額縁は掲示物を掲示する額縁であって、前記掲示物の外縁部を覆う外枠部材と、前記掲示物の表面部を覆う表面部材とを備え、前記表面部材は、前記掲示物の前記表面部を視認可能な可視領域と、前記掲示物の前記表面部を視認不可能な不可視領域とを有し、前記不可視領域は、前記掲示物の前記表面部を複数の多角形領域に区切るように、前記掲示物の前記表面部を覆っている。前記掲示物は複数の辺を有する多角形であり、前記外枠部材は複数の辺を有する多角形であり、前記外枠部材は前記掲示物の外辺全体に沿って前記掲示物の外縁部を覆ってもよい。
【０００７】
前記表面部材は一体的に成形されていてもよい。前記外枠部材と前記表面部材とは分離して成形されていてもよい。前記外枠部材と前記表面部材とは一体的に成形されていてもよい。前記表面部材の前記不可視領域は前記掲示物の前記表面部を格子状に区切ってもよい。前記表面部材の前記可視領域は開口穴でもよい。前記表面部材の前記可視領域は透明フィルムでよい。前記外枠部材と前記不可視領域との少なくとも一部には、柄が施されていてもよい。
【図面の簡単な説明】
【０００８】
【図１】本発明の実施形態１に係る額縁を示す模式図である。
【図２】本発明の実施形態２に係る額縁を示す模式図である。
【図３】本発明の実施形態３に係る額縁を示す模式図である。
【図４】表面部材に設けられた不可視領域の形状を示す図である。
【発明を実施するための形態】
【０００９】
図１〜図４を参照して、本発明の額縁に関する実施形態を説明する。本発明は、以下に説明する実施形態や図面に記載される構成に限定されることを意図せず、当該構成と均等な構成も含む。
【００１０】
[実施形態１]
図１は、本発明の実施形態１に係る額縁１００を示す模式図である。図１（ａ）は、額縁１００の正面を示す図である。図１（ｂ）は、額縁１００の構成を示す図である。図１（ｃ）は、額縁１００のＸ−Ｘ断面を示す図である。以下、図１（ａ）〜図１（ｃ）を参照して額縁１００の構成を説明する。
【００１１】
額縁１００は、掲示物Ａを掲示する額縁１００である。掲示物Ａは４つの辺の長方形を有する掲示物である。額縁１００は掲示物Ａの外縁部ａ１を覆う外枠部材１１０と、掲示物Ａの表面部ａ２を覆う表面部材１２０とを含む。外枠部材１１０と表面部材１２０とは分離して成形されている。表面部ａ２は、掲示物Ａの表面のうち、外縁部ａ１を除いた部分である。裏板Ｂの上に掲示物Ａを載せ、さらに表面部材１２０を載せる。外枠部材１１０に設けられている係止具Ｃによって、係止具Ｃと表面部材１２０との間に裏板Ｂと掲示物Ａとを挟むことによって、掲示物Ａを掲示する額縁１００が出来上がる。
【００１２】
掲示物Ａは、長方形の模様入り和紙である。掲示物Ａの外縁部ａ１は、長方形の４つの辺に対応している。掲示物Ａの表面部ａ２は、長方形の４つの辺に対応する領域を除いた部分である。
【００１３】
外枠部材１１０は長方形である。外枠部材１１０は掲示物Ａの外辺全体に沿って掲示物Ａの外縁部ａ１を覆う。外枠部材１１０の素材は合成プラスチック（塩化ビニル）である。
【００１４】
表面部材１２０は、掲示物Ａの表面部ａ２を視認可能な可視領域１３０と、掲示物Ａの表面部ａ２を視認不可能な不可視領域１４０とを有する。表面部材１２０の素材は合成プラスチック（塩化ビニル）であり、表面部材１２０は一体的に成形されている。表面部材１２０の可視領域１３０は開口穴である。可視領域１３０からは、掲示物Ａの表面部ａ２に入っている模様が視認できる。表面部材１２０の不可視領域１４０は、掲示物Ａの表面部ａ２を複数の矩形領域に区切るように、掲示物Ａの表面部ａ２を覆っている。具体的には、不可視領域１４０は掲示物Ａの表面部ａ２を計１２個（縦に３つ、横に４つ）の矩形領域（格子状）に区切っている。複数の矩形領域の一部は、第１可視領域１３０ａ及び第２可視領域１３０ｂである。例えば、不可視領域１４０からは、掲示物Ａの表面部ａ２に入っている模様が視認できない。
【００１５】
なお、表面部材１２０は一体的に成形されているが、表面部材１２０が可視領域１３０と不可視領域１４０とを有する限りは、一体成形に限定されない。表面部材１２０を複数の部材の組み合わることにより可視領域１３０と不可視領域１４０とを形成することができる。例えば、複数の木材の棒を組み合わせることで、表面部材１２０を成形し得る。また、複数の合成プラスチック（塩化ビニル）の棒を組み合わせることで、表面部材１２０を成形し得る。
【００１６】
本発明の実施形態は、掲示物を掲示する額縁であって、掲示物の外縁部を覆う外枠部材と、掲示物の表面部を覆う表面部材とを備え、表面部材は、可視領域と不可視領域とを有し、不可視領域は、掲示物の表面部を複数の多角形領域に区切るように、掲示物の表面部を覆っている。掲示物の表面部を複数の多角形領域に区切るように、掲示物の表面部を覆っている。従って、ジャパニーズテイストの掲示を成し得る額縁を提供することができる。特に、多角形領域の形状を矩形であり、掲示物の表面部を格子状に区切り、表面部材の不可視領域を黒色調にし、漆塗りの風情を出し、掲示物として和紙や紅葉の風景を用いることで、ジャパニーズテイストの掲示をさらに強調し得る。
【００１７】
[実施形態２]
図２は、本発明の実施形態２に係る額縁２００を示す模式図である。図２（ａ）は、額縁２００の正面を示す図である。図２（ｂ）は、額縁２００の構成を示す図である。図２（ａ）と図２（ｂ）とを参照して、額縁２００の構成を説明する。
【００１８】
額縁２００は、掲示物Ａを掲示する額縁２００である。掲示物Ａは４つの辺の長方形を有する掲示物である。額縁２００は掲示物Ａの外縁部を覆う外枠部材２１０と、掲示物Ａの表面部を覆う表面部材２２０とを含む。表面部は、掲示物Ａの表面のうち、外縁部を除いた部分である。外枠部材２１０と表面部材２２０とは一体的に成形されており、掲示物覆体２５０を形成する。掲示物覆体２５０は長方形である。掲示物覆体２５０の素材は合成プラスチック（塩化ビニル）である。
【００１９】
掲示物Ａは、長方形の模様入り和紙である。掲示物Ａの外縁部は、長方形の４つの辺に対応している。掲示物Ａの表面部は、長方形の４つの辺に対応する領域を除いた部分である。
【００２０】
外枠部材２１０は長方形である。外枠部材２１０は掲示物Ａの外辺全体に沿って掲示物Ａの外縁部を覆う。表面部材２２０は、実施例１で記載の表面部材１２０と同様に、掲示物Ａの表面部を視認可能な可視領域と、掲示物Ａの表面部を視認不可能な不可視領域とを有する。表面部材２２０は一体的に成形されている。表面部材２２０の可視領域は開口穴である。可視領域からは、掲示物Ａの表面部に入っている模様が視認できる。表面部材２２０の不可視領域は、掲示物Ａの表面部を複数の矩形領域に区切るように、掲示物Ａの表面部を覆っている。具体的には、不可視領域は掲示物Ａの表面部を計４つ（縦に１つ、横に４つ）の矩形領域（格子状）に区切っている。不可視領域からは、掲示物Ａの表面部に入っている模様が視認できない。
【００２１】
裏板Ｂの上に掲示物Ａを載せ、さらに掲示物覆体２５０を載せる。掲示物覆体２５０に設けられている係止具によって、係止具Ｃと掲示物覆体２５０との間に裏板Ｂと掲示物Ａとを挟むことによって、掲示物Ａを掲示する額縁２００が出来上がる。
【００２２】
実施形態２に係る額縁２００によれば、掲示物Ａに掲示物覆体２５０を重ね、係止具Ｃによって係止することで、少ない部材で容易に掲示物Ａを掲示することができる。
【００２３】
[実施形態３]
図３は、本発明の実施形態３に係る額縁３００を示す模式図である。図３（ａ）は、額縁３００の正面を示す図である。図３（ｂ）は、額縁３００の裏面を示す図である。図３（ｃ）は、額縁３００のＹ−Ｙ断面を示す図である。以下、図３（ａ）〜図３（ｃ）を参照して額縁３００の構成を説明する。
【００２４】
額縁３００は、掲示物Ａを掲示する額縁３００である。額縁３００は掲示物Ａの外縁部を覆う外枠部材３１０と、掲示物Ａの表面部を覆う表面部材３２０とを含む。外枠部材３１０と表面部材３２０とは一体的に成形されており、掲示物覆体３５０を形成する。掲示物覆体３５０の素材は合成プラスチック（塩化ビニル）である。
【００２５】
外枠部材３１０は掲示物Ａの外辺全体に沿って掲示物Ａの外縁部を覆う。表面部材３２０は、実施例１で記載の表面部材１２０と同様に、掲示物Ａの表面部を視認可能な可視領域と、掲示物Ａの表面部を視認不可能な不可視領域とを有する。表面部材３２０は一体的に成形されている。表面部材３２０の可視領域は開口穴である。可視領域からは、掲示物Ａの表面部に入っている模様が視認できる。表面部材３２０の不可視領域は、掲示物Ａの表面部を複数の矩形領域に区切るように、掲示物Ａの表面部を覆っている。具体的には、不可視領域は掲示物Ａの表面部を計２０つ（縦に４つ、横に５つ）の矩形領域（格子状）に区切っている。不可視領域からは、掲示物Ａの表面部に入っている模様が視認できない。
【００２６】
係止部材Ｃ’によって掲示物Ａを掲示物覆体３５０との間で挟むことで、掲示物Ａを掲示する額縁３００が出来上がる。係止部材Ｃ’は、掲示物の外縁部を覆う外枠部材として機能する。係止部材Ｃ’は例えば両面テープである。両面テープの一方の面で掲示物Ａを掲示物覆体３５０に貼りつけ得る。両面テープの他方の面で額縁３００を壁Ｄに貼りつけ得る。
【００２７】
実施形態３に係る額縁３００によれば、掲示物Ａに掲示物覆体３５０を重ね、係止部材Ｃ’を貼りつけることで、壁などに容易に掲示物Ａを掲示することができる。
【００２８】
図４は、実施形態１〜３の表面部材に設けられた不可視領域の形状αを示す図である。図４（ａ）は、表面部材に設けられた不可視領域の形状αを示す図である。不可視領域の形状αは掲示物Ａの表面部を計９つ（縦に３つ、横に３つ）の矩形領域（格子状）に区切られたような形状である。図４（ｂ）は、表面部材に設けられた不可視領域の形状βを示す図である。不可視領域の形状βは掲示物Ａの表面部を計５つ（上の列に３つ、その下に２つ）の矩形領域（格子状）に区切られたような形状である。図４（ｃ）は、表面部材に設けられた不可視領域の形状γを示す図である。不可視領域の形状γは掲示物Ａの表面部を計４つ（横に３つ）の矩形領域（格子状）に区切られたような形状である。４つの矩形領域の各々は、互いに上下に位置がずれている。図４（ｄ）は、表面部材に設けられた不可視領域の形状δを示す図である。不可視領域の形状δは掲示物Ａの表面部を計７つ（上の列に３つ（三角形状１つ、台形形状２つ、）、真中に１つ（平行四辺形の形状１つ）、下の列に３つ（三角形状１つ、台形形状２つ、））の矩形領域（格子状）に区切られたような形状である。
【００２９】
図４を参照して説明したように、実施形態１〜３の表面部材の不可視領域については、掲示物Ａの表面部を複数の多角形領域に区切るように、掲示物Ａの表面部を覆う限りは、形状は限定されない。複数の多角形領域は、例えば、複数の矩形領域である。不可視領域からは、掲示物Ａの表面部に入っている模様が視認できない。
【００３０】
以上、図１〜図４を参照して本発明の実施形態を説明した。なお、本発明の実施形態は、掲示物を掲示する額縁であって、掲示物の外縁部を覆う外枠部材と、掲示物の表面部を覆う表面部材とを備え、表面部材は、可視領域と不可視領域とを有し、不可視領域は、掲示物の表面部を複数の多角形領域に区切るように、掲示物の表面部を覆っている限りは、図１〜図４を参照して説明した形態に限定されない。
【００３１】
例えば、長方形の掲示物覆体の４辺部分のうち３辺部分に接着剤を塗布し、裏板Ｂに外枠部材や掲示物覆体を貼りつけることで本発明の額縁を作製し得る。この場合、塗布後に固まった接着剤は、額縁の外縁部材として機能する。固まった接着剤は、掲示物の外縁部の側面を覆う。接着剤が塗布されていない１辺部分は、額縁の側面開口部として機能する。側面開口部から掲示物Ａを挿入することによって、掲示物Ａを掲示する額縁が出来上がる。なお、接着剤を塗布する辺部分の数は、３つに限定されない。掲示物Ａを掲示し得る限りは、２つや１つであり得る。本構成のように、側面開口部から掲示物Ａを挿入し得る構成にすることで、掲示物Ａを種々差し替えることが可能になる。その結果、使用者の感性や目的に合わせて掲示物を選択して用いることがでる。
【００３２】
例えば、掲示物Ａとしてディスプレイを用いる場合は、本発明の額縁はディスプレイカバーやディスプレイフレームとしても機能する。本発明の額縁はディスプレイに風景や和紙模様などのデジタルフォトを映すことでデジタルフォトフレームとして機能する。
【００３３】
例えば、実施形態１で記載の表面部材１２０の可視領域１３０や、実施形態２で記載の表面部材２２０の可視領域、実施形態３で記載の表面部材３２０の可視領域は、開口穴に限定されない。可視領域から掲示物Ａの表面部を視認可能な限りは、可視領域は透明部材で塞がれていることがあり得る。透明部材としては、合成プラスチック（塩化ビニル）、ガラスなどの透明板、透明フィルムであり得る。
【００３４】
例えば、表面部材として合成プラスチック（塩化ビニル）、ガラスなどの透明板、透明フィルムを用いた場合には、黒などのインクを印刷することで不可視領域を作成し得る。インクが塗布されていない領域は、可視領域として機能する。
【００３５】
掲示物Ａの素材は、和紙、洋紙、プラスチック、布、金属であり得る。掲示物Ａの模様は、任意の模様であり得る。例えば、着物に付されるような和風模様、又はエスニック風模様であり得る。
【００３６】
実施形態１に記載の外枠部材１１０や表面部材１２０、実施形態２に記載の外枠部材２１０、表面部材２２０及び掲示物覆体２５０、実施形態３に記載の外枠部材３１０、表面部材３２０及び掲示物覆体３５０の形状は矩形であり、これらの素材は合成プラスチック（塩化ビニル）であったが、本発明はこれらに限定されない。例えば、素材はアクリル、木材、金属であり得る。形状は、矩形以外の形状（多角形、円形等）であり得る。色も任意であり、白、赤、鏡調の色、木目調の色、更にはシルバー等の金属調の色等、様々な色であり得る。
【００３７】
外枠部材１１０、表面部材１２０、外枠部材２１０、表面部材２２０、掲示物覆体２５０、外枠部材３１０、表面部材３２０及び掲示物覆体３５０の少なくとも一部には、柄を施し得る。例えば、様々な意匠柄（例えば模様）を印刷することができる。例えばＵＶ硬化性インクで、凹凸を有する柄を印刷する等の方法が装飾的により効果がある。
【００３８】
外枠部材１１０、表面部材１２０、外枠部材２１０、表面部材２２０、掲示物覆体２５０、外枠部材３１０、表面部材３２０及び掲示物覆体３５０の表面に印刷された意匠柄は、掲示物Ａの意匠（例えば模様）との組合せにより額縁全体の意匠を引き立たせることができる。外枠部材１１０、表面部材１２０、外枠部材２１０、表面部材２２０、掲示物覆体２５０、外枠部材３１０、表面部材３２０及び掲示物覆体３５０の表面に印刷した様々な意匠柄と掲示物Ａの様々な柄との組合せを選択する楽しみを提供することが出来る。
【００３９】
なお、外枠部材１１０、表面部材１２０、外枠部材２１０、表面部材２２０、掲示物覆体２５０、外枠部材３１０、表面部材３２０及び掲示物覆体３５０に模様を付する方法は、印刷による方法に限定されない。模様が付される限りは、模様を付する方法は金型への押し付けやエンボス加工に基づく方法であり得る。
【産業上の利用可能性】
【００４０】
本発明の額縁は、例えば、掲示物を掲示する額縁、ディスプレイに貼りつけるディスプレイカバー、掲示物として写真やデジタル映像を用いるデジタルフォトフレームとして用いることができる。
【符号の説明】
【００４１】
１００、２００、３００  額縁
Ａ  掲示物
Ｂ  裏板
Ｃ  係止部材
ａ１  外縁部
ａ２  表面部
１２０  表面部材
１３０  可視領域
１４０  不可視領域
【図１】
2013052117.tif 000003
【図２】
2013052117.tif 000004
【図３】
2013052117.tif 000005
【図４】
2013052117.tif 000006